(57)【要約】【課題】色変換プロファイルの高度な調整を自動化することにより、色変換プロファイルの調整時のユーザの作業負担を軽減することができるプロファイル調整方法を提供する。【解決手段】本発明のプロファイル調整方法は、第１の色変換プロファイルを用いて調整対象色を色変換することにより得られる変換後の色をユーザが調整する処理において得られた色に関する情報に基づいて、調整内容に関して予め設定された複数のカテゴリの中から、前記処理におけるユーザの調整内容が属するカテゴリを判定するステップと、判定されたカテゴリを示すカテゴリ情報と、調整対象色を示す調整対象色情報とを関連付けて記憶手段に記憶させるステップと、記憶手段に記憶されているカテゴリ情報と調整対象色情報とに基づいて、第２の色変換プロファイルを調整するステップと、を有する。【選択図】図７
2010273208.tif 000002
【特許請求の範囲】
【請求項１】
画像データの色変換処理に用いられる色変換プロファイルを調整するプロファイル調整方法であって、
第１の色変換プロファイルを用いて調整対象色を色変換することにより得られる変換後の色をユーザが調整する処理において得られた色に関する情報に基づいて、調整内容に関して予め設定された複数のカテゴリの中から、前記処理における前記ユーザの調整内容が属するカテゴリを判定するステップ（ａ）と、
前記ステップ（ａ）において判定された前記カテゴリを示すカテゴリ情報と、前記調整対象色を示す調整対象色情報とを関連付けて記憶手段に記憶させるステップ（ｂ）と、
前記記憶手段に記憶されている前記カテゴリ情報と前記調整対象色情報とに基づいて、第２の色変換プロファイルを調整するステップ（ｃ）と、
を有することを特徴とするプロファイル調整方法。
【請求項２】
前記ステップ（ｃ）は、
前記記憶手段に記憶されている前記カテゴリ情報と前記調整対象色情報とを呼び出すステップ（ｃ１）と、
前記ステップ（ｃ１）において呼び出された前記カテゴリ情報に対応する計算方法を適用して、前記第２の色変換プロファイルを用いて前記調整対象色情報により示される調整対象色を色変換する場合に得られるべき目標色を求めるステップ（ｃ２）と、
前記第２の色変換プロファイルを用いて前記調整対象色を色変換することによって前記目標色が得られるように、前記第２の色変換プロファイルを調整するステップ（ｃ３）と、を有することを特徴とする請求項１に記載のプロファイル調整方法。
【請求項３】
前記ステップ（ａ）は、
前記ユーザによる調整後の色を構成する少なくとも１つの色成分の濃度が０％であるか否かを判断するステップ（ａ１）と、
前記ステップ（ａ１）において前記少なくとも１つの色成分の濃度が０％であると判断される場合、前記調整内容が属する前記カテゴリを第１カテゴリと判定するステップ（ａ２）と、を有し、
前記ステップ（ａ２）において前記カテゴリが前記第１カテゴリと判定される場合、前記ステップ（ｃ）において、前記第２の色変換プロファイルを用いて前記調整対象色を色変換することにより得られる変換後の色における前記色成分の濃度が０％となるように、前記第２の色変換プロファイルが調整されることを特徴とする請求項１または２に記載のプロファイル調整方法。
【請求項４】
前記ステップ（ａ）は、
前記ユーザによる調整後の色を構成する少なくとも１つの色成分の濃度が１００％であるか否かを判断するステップ（ａ３）と、
前記ステップ（ａ３）において前記少なくとも１つの色成分の濃度が１００％であると判断される場合、前記調整内容が属する前記カテゴリを第２カテゴリと判定するステップ（ａ４）と、を有し、
前記ステップ（ａ４）において前記カテゴリが前記第２カテゴリと判定される場合、前記ステップ（ｃ）において、前記第２の色変換プロファイルを用いて前記調整対象色を色変換することにより得られる変換後の色における前記色成分の濃度が１００％となるように、前記第２の色変換プロファイルが調整されることを特徴とする請求項１〜３のいずれか１項に記載のプロファイル調整方法。
【請求項５】
前記ステップ（ａ）は、
前記変換後の色を構成する少なくとも１つの色成分の濃度が所定範囲内であるか否かを判断するステップ（ａ５）と、
前記ステップ（ａ５）において前記少なくとも１つの色成分の濃度が前記所定範囲内であると判断される場合、前記調整内容が属する前記カテゴリを第３カテゴリと判定するステップ（ａ６）と、を有し、
前記ステップ（ａ６）において前記カテゴリが前記第３カテゴリと判定される場合、前記ステップ（ｃ）において、前記ステップ（ａ）における前記ユーザによる調整後の色における前記色成分の濃度と、前記調整対象色に所定の調整間隔で隣接する色の調整後の色における前記色成分の濃度との差が、前記第２の色変換プロファイルを用いて前記調整対象色を色変換することにより得られる色についても維持されるように、前記第２の色変換プロファイルが調整されることを特徴とする請求項１〜４のいずれか１項に記載のプロファイル調整方法。
【請求項６】
前記ステップ（ａ）は、
前記調整対象色の色彩値の彩度および前記ユーザによる調整後の色の色彩値の彩度が、所定値以下であるか否かを判断するステップ（ａ７）と、
前記ステップ（ａ７）において前記調整対象色の色彩値の彩度および前記調整後の色の色彩値の彩度が前記所定値以下であると判断される場合、前記調整内容が属する前記カテゴリを第４カテゴリと判定するステップ（ａ８）と、を有し、
前記ステップ（ａ８）において前記カテゴリが前記第４カテゴリと判定される場合、前記ステップ（ｃ）において、前記第２の色変換プロファイルを用いて前記調整対象色を色変換することにより得られる変換後の色の色彩値が前記ステップ（ａ）における前記ユーザによる調整後の色の色彩値と同一になるように、前記第２の色変換プロファイルが調整されることを特徴とする請求項１〜５のいずれか１項に記載のプロファイル調整方法。
【請求項７】
前記変換後の色は、シアン（Ｃ）、マゼンタ（Ｍ）、イエロー（Ｙ）、およびブラック（Ｋ）の４色で示されることを特徴とする請求項１〜６のいずれか１項に記載のプロファイル調整方法。
【請求項８】
前記第１および第２の色変換プロファイルは、ルックアップテーブルを含むことを特徴とする請求項１〜７のいずれか１項に記載のプロファイル調整方法。
【請求項９】
前記第１および第２の色変換プロファイルは、ＩＣＣ（Ｉｎｔｅｒｎａｔｉｏｎａｌ  Ｃｏｌｏｒ  Ｃｏｎｓｏｒｔｉｕｍ）プロファイルであることを特徴とする請求項１〜８のいずれか１項に記載のプロファイル調整方法。
【請求項１０】
前記第１の色変換プロファイルは、複数の前記調整対象色に対して調整され、
前記プロファイル調整方法は、前記ステップ（ｃ）の前に、
前記複数の調整対象色の中から、前記第２の色変換プロファイルの調整に適用される調整対象色についての前記ユーザによる選択を受付けるステップ（ｄ）をさらに有し、
前記ステップ（ｃ）において、前記ステップ（ｄ）において選択された前記調整対象色を示す前記調整対象色情報と当該調整対象色情報に関連付けられたカテゴリ情報とに基づいて、前記第２の色変換プロファイルが調整されることを特徴とする請求項１〜９のいずれか１項に記載のプロファイル調整方法。
【請求項１１】
前記ステップ（ｃ）の前に、前記調整対象色情報と関連付けられた前記カテゴリ情報についての前記ユーザによる変更を受付けるステップ（ｅ）をさらに有し、
前記ステップ（ｃ）において、前記ステップ（ｅ）において変更された前記カテゴリ情報と前記調整対象色情報とに基づいて、前記第２の色変換プロファイルが調整されることを特徴とする請求項１〜１０のいずれか１項に記載のプロファイル調整方法。
【請求項１２】
画像データの色変換処理に用いられる色変換プロファイルを調整するプロファイル調整装置で実行されるプロファイル調整プログラムであって、
第１の色変換プロファイルを用いて調整対象色を色変換することにより得られる変換後の色をユーザが調整する処理において得られた色に関する情報に基づいて、調整内容に関して予め設定された複数のカテゴリの中から、前記処理における前記ユーザの調整内容が属するカテゴリを判定する手順（ａ）と、
前記手順（ａ）において判定された前記カテゴリを示すカテゴリ情報と、前記調整対象色を示す調整対象色情報とを関連付けて記憶手段に記憶させる手順（ｂ）と、
前記記憶手段に記憶されている前記カテゴリ情報と前記調整対象色情報とに基づいて、第２の色変換プロファイルを調整する手順（ｃ）と、
を前記プロファイル調整装置に実行させることを特徴とするプロファイル調整プログラム。
【請求項１３】
請求項１２に記載のプロファイル調整プログラムを記録したコンピュータ読み取り可能な記録媒体。
【請求項１４】
画像データの色変換処理に用いられる色変換プロファイルを調整するプロファイル調整装置であって、
第１の色変換プロファイルを用いて調整対象色を色変換することにより得られる変換後の色をユーザが調整する処理において得られた色に関する情報に基づいて、調整内容に関して予め設定された複数のカテゴリの中から、前記処理における前記ユーザの調整内容が属するカテゴリを判定する判定手段と、
前記判定手段により判定された前記カテゴリを示すカテゴリ情報と、前記調整対象色を示す調整対象色情報とを関連付けて記憶する記憶手段と、
前記記憶手段に記憶されている前記カテゴリ情報と前記調整対象色情報とに基づいて、第２の色変換プロファイルを調整する調整手段と、
を有することを特徴とするプロファイル調整装置。
【発明の詳細な説明】
【技術分野】
【０００１】
本発明は、プロファイル調整方法、プロファイル調整プログラム、およびプロファイル調整装置に関する。本発明は、特に、画像データの色変換処理に用いられる色変換プロファイルを調整するプロファイル調整方法、プロファイル調整プログラム、およびプロファイル調整装置に関する。
【背景技術】
【０００２】
パソコン、プリンタ、およびデジタルカメラ等のデジタル処理機器の間で、カラー画像を伝達する場合、各デバイスの特有の色空間特性を考慮して画像データの色を調整する必要がある。画像データの色の調整には、ルックアップテーブルを有する色変換プロファイルが用いられる。
【０００３】
これに関連する技術として、色変換プロファイルにユーザの好みを反映させる見地から、下記の特許文献１〜３に示されるような画像処理装置が提案されている。特許文献１〜３に開示されている画像処理装置は、画像に対して色調整が可能な色調整手段と、色調整が行われた後の調整済画像と色調整が行われる元画像とに基づいて元画像を調整済画像に補正する色補正情報を作成する色補正情報作成手段と、を有する。このような構成によれば、色補正情報に基づいて他の画像の色が補正されるため、ユーザは、イメージ通りに多数の画像を印刷することができる。
【０００４】
しかしながら、上記の画像処理装置では、同一の入力デバイスから提供される画像についてはユーザのイメージ通りに画像が印刷されるものの、入出力デバイスが変われば、ユーザは手作業により色変換プロファイルを改めて調整しなければならないという問題がある。したがって、色変換プロファイルの調整を自動化して、色変換プロファイルの調整時のユーザの作業負担を軽減することが望まれている。
【０００５】
加えて、色変換プロファイルの調整の自動化を考える場合、色変換プロファイルの調整操作には、画像の色の濁り除去またはデバイスの色域差に起因する色のツブレ防止等を目的とする熟練が必要な特殊操作が含まれるため、色変換プロファイルの高度な調整の自動化が困難であるという問題がある。
【先行技術文献】
【特許文献】
【０００６】
【特許文献１】特開２００４−３０４５３７号公報
【特許文献２】特開２００４−３０４５３８号公報
【特許文献３】特開２００４−３０４５３９号公報
【発明の概要】
【発明が解決しようとする課題】
【０００７】
本発明は、上述した課題に鑑みてなされたものである。したがって、本発明の目的は、色変換プロファイルの高度な調整を自動化することにより、色変換プロファイルの調整時のユーザの作業負担を軽減することができるプロファイル調整方法、プロファイル調整プログラム、およびプロファイル調整装置を提供することである。
【課題を解決するための手段】
【０００８】
本発明の上記目的は、下記の手段によって達成される。
【０００９】
（１）画像データの色変換処理に用いられる色変換プロファイルを調整するプロファイル調整方法であって、第１の色変換プロファイルを用いて調整対象色を色変換することにより得られる変換後の色をユーザが調整する処理において得られた色に関する情報に基づいて、調整内容に関して予め設定された複数のカテゴリの中から、前記処理における前記ユーザの調整内容が属するカテゴリを判定するステップ（ａ）と、前記ステップ（ａ）において判定された前記カテゴリを示すカテゴリ情報と、前記調整対象色を示す調整対象色情報とを関連付けて記憶手段に記憶させるステップ（ｂ）と、前記記憶手段に記憶されている前記カテゴリ情報と前記調整対象色情報とに基づいて、第２の色変換プロファイルを調整するステップ（ｃ）と、を有することを特徴とするプロファイル調整方法。
【００１０】
（２）前記ステップ（ｃ）は、前記記憶手段に記憶されている前記カテゴリ情報と前記調整対象色情報とを呼び出すステップ（ｃ１）と、前記ステップ（ｃ１）において呼び出された前記カテゴリ情報に対応する計算方法を適用して、前記第２の色変換プロファイルを用いて前記調整対象色情報により示される調整対象色を色変換する場合に得られるべき目標色を求めるステップ（ｃ２）と、前記第２の色変換プロファイルを用いて前記調整対象色を色変換することによって前記目標色が得られるように、前記第２の色変換プロファイルを調整するステップ（ｃ３）と、を有することを特徴とする上記（１）に記載のプロファイル調整方法。
【００１１】
（３）前記ステップ（ａ）は、前記ユーザによる調整後の色を構成する少なくとも１つの色成分の濃度が０％であるか否かを判断するステップ（ａ１）と、前記ステップ（ａ１）において前記少なくとも１つの色成分の濃度が０％であると判断される場合、前記調整内容が属する前記カテゴリを第１カテゴリと判定するステップ（ａ２）と、を有し、前記ステップ（ａ２）において前記カテゴリが前記第１カテゴリと判定される場合、前記ステップ（ｃ）において、前記第２の色変換プロファイルを用いて前記調整対象色を色変換することにより得られる変換後の色における前記色成分の濃度が０％となるように、前記第２の色変換プロファイルが調整されることを特徴とする上記（１）または（２）に記載のプロファイル調整方法。
【００１２】
（４）前記ステップ（ａ）は、前記ユーザによる調整後の色を構成する少なくとも１つの色成分の濃度が１００％であるか否かを判断するステップ（ａ３）と、前記ステップ（ａ３）において前記少なくとも１つの色成分の濃度が１００％であると判断される場合、前記調整内容が属する前記カテゴリを第２カテゴリと判定するステップ（ａ４）と、を有し、前記ステップ（ａ４）において前記カテゴリが前記第２カテゴリと判定される場合、前記ステップ（ｃ）において、前記第２の色変換プロファイルを用いて前記調整対象色を色変換することにより得られる変換後の色における前記色成分の濃度が１００％となるように、前記第２の色変換プロファイルが調整されることを特徴とする上記（１）〜（３）のいずれか一つに記載のプロファイル調整方法。
【００１３】
（５）前記ステップ（ａ）は、前記変換後の色を構成する少なくとも１つの色成分の濃度が所定範囲内であるか否かを判断するステップ（ａ５）と、前記ステップ（ａ５）において前記少なくとも１つの色成分の濃度が前記所定範囲内であると判断される場合、前記調整内容が属する前記カテゴリを第３カテゴリと判定するステップ（ａ６）と、を有し、前記ステップ（ａ６）において前記カテゴリが前記第３カテゴリと判定される場合、前記ステップ（ｃ）において、前記ステップ（ａ）における前記ユーザによる調整後の色における前記色成分の濃度と、前記調整対象色に所定の調整間隔で隣接する色の調整後の色における前記色成分の濃度との差が、前記第２の色変換プロファイルを用いて前記調整対象色を色変換することにより得られる色についても維持されるように、前記第２の色変換プロファイルが調整されることを特徴とする上記（１）〜（４）のいずれか一つに記載のプロファイル調整方法。
【００１４】
（６）前記ステップ（ａ）は、前記調整対象色の色彩値の彩度および前記ユーザによる調整後の色の色彩値の彩度が、所定値以下であるか否かを判断するステップ（ａ７）と、前記ステップ（ａ７）において前記調整対象色の色彩値の彩度および前記調整後の色の色彩値の彩度が前記所定値以下であると判断される場合、前記調整内容が属する前記カテゴリを第４カテゴリと判定するステップ（ａ８）と、を有し、前記ステップ（ａ８）において前記カテゴリが前記第４カテゴリと判定される場合、前記ステップ（ｃ）において、前記第２の色変換プロファイルを用いて前記調整対象色を色変換することにより得られる変換後の色の色彩値が前記ステップ（ａ）における前記ユーザによる調整後の色の色彩値と同一になるように、前記第２の色変換プロファイルが調整されることを特徴とする上記（１）〜（５）のいずれか一つに記載のプロファイル調整方法。
【００１５】
（７）前記変換後の色は、シアン（Ｃ）、マゼンタ（Ｍ）、イエロー（Ｙ）、およびブラック（Ｋ）の４色で示されることを特徴とする上記（１）〜（６）のいずれか一つに記載のプロファイル調整方法。
【００１６】
（８）前記第１および第２の色変換プロファイルは、ルックアップテーブルを含むことを特徴とする上記（１）〜（７）のいずれか一つに記載のプロファイル調整方法。
【００１７】
（９）前記第１および第２の色変換プロファイルは、ＩＣＣ（Ｉｎｔｅｒｎａｔｉｏｎａｌ  Ｃｏｌｏｒ  Ｃｏｎｓｏｒｔｉｕｍ）プロファイルであることを特徴とする上記（１）〜（８）のいずれか一つに記載のプロファイル調整方法。
【００１８】
（１０）前記第１の色変換プロファイルは、複数の前記調整対象色に対して調整され、前記プロファイル調整方法は、前記ステップ（ｃ）の前に、前記複数の調整対象色の中から、前記第２の色変換プロファイルの調整に適用される調整対象色についての前記ユーザによる選択を受付けるステップ（ｄ）をさらに有し、前記ステップ（ｃ）において、前記ステップ（ｄ）において選択された前記調整対象色を示す前記調整対象色情報と当該調整対象色情報に関連付けられたカテゴリ情報とに基づいて、前記第２の色変換プロファイルが調整されることを特徴とする上記（１）〜（９）のいずれか一つに記載のプロファイル調整方法。
【００１９】
（１１）前記ステップ（ｃ）の前に、前記調整対象色情報と関連付けられた前記カテゴリ情報についての前記ユーザによる変更を受付けるステップ（ｅ）をさらに有し、前記ステップ（ｃ）において、前記ステップ（ｅ）において変更された前記カテゴリ情報と前記調整対象色情報とに基づいて、前記第２の色変換プロファイルが調整されることを特徴とする上記（１）〜（１０）のいずれか一つに記載のプロファイル調整方法。
【００２０】
（１２）画像データの色変換処理に用いられる色変換プロファイルを調整するプロファイル調整装置で実行されるプロファイル調整プログラムであって、第１の色変換プロファイルを用いて調整対象色を色変換することにより得られる変換後の色をユーザが調整する処理において得られた色に関する情報に基づいて、調整内容に関して予め設定された複数のカテゴリの中から、前記処理における前記ユーザの調整内容が属するカテゴリを判定する手順（ａ）と、前記手順（ａ）において判定された前記カテゴリを示すカテゴリ情報と、前記調整対象色を示す調整対象色情報とを関連付けて記憶手段に記憶させる手順（ｂ）と、前記記憶手段に記憶されている前記カテゴリ情報と前記調整対象色情報とに基づいて、第２の色変換プロファイルを調整する手順（ｃ）と、を前記プロファイル調整装置に実行させることを特徴とするプロファイル調整プログラム。
【００２１】
（１３）上記（１２）に記載のプロファイル調整プログラムを記録したコンピュータ読み取り可能な記録媒体。
【００２２】
（１４）画像データの色変換処理に用いられる色変換プロファイルを調整するプロファイル調整装置であって、第１の色変換プロファイルを用いて調整対象色を色変換することにより得られる変換後の色をユーザが調整する処理において得られた色に関する情報に基づいて、調整内容に関して予め設定された複数のカテゴリの中から、前記処理における前記ユーザの調整内容が属するカテゴリを判定する判定手段と、前記判定手段により判定された前記カテゴリを示すカテゴリ情報と、前記調整対象色を示す調整対象色情報とを関連付けて記憶する記憶手段と、前記記憶手段に記憶されている前記カテゴリ情報と前記調整対象色情報とに基づいて、第２の色変換プロファイルを調整する調整手段と、を有することを特徴とするプロファイル調整装置。
【発明の効果】
【００２３】
本発明によれば、第１の色変換プロファイルを調整する処理におけるユーザの調整内容を示すカテゴリ情報と調整対象色情報とが記憶手段に記憶され、記憶されたカテゴリ情報および調整対象色情報に基づいて第２の色変換プロファイルが調整されるため、第２の色変換プロファイルの調整の自動化が可能となる。したがって、色変換プロファイルを調整する際のユーザの作業負担を軽減することができる。
【００２４】
また、本発明によれば、調整対象色に対するユーザの調整内容がカテゴリ分けされて記憶手段に記憶されるため、カテゴリ情報に基づく第２の色変換プロファイルの調整が可能となる。すなわち、ユーザの意図に近い高度な調整を実現することができる。
【図面の簡単な説明】
【００２５】
【図１】本発明の一実施形態に係る印刷システムの全体構成を示すブロック図である。
【図２】図１に示されるプリンタの構成を示すブロック図である。
【図３】図１に示されるＰＣの構成を示すブロック図である。
【図４】図１に示されるＰＣのハードディスクの内容を示すブロック図である。
【図５】図１に示されるＰＣのディスプレイに表示されるデバイスリンクプロファイル作成画面の一例を示す図である。
【図６】図１に示されるＰＣにおいて実行される第１プロファイル調整処理を説明するためのフローチャートである。
【図７】図６のステップＳ１０３に示される調整内容保存処理を説明するためのフローチャートである。
【図８】図１に示されるＰＣにおいて実行される第２プロファイル調整処理を説明するためのフローチャートである。
【図９】図１に示されるＰＣのディスプレイに表示される調整内容選択画面の一例を示す図である。
【図１０】図１に示されるＰＣのディスプレイに表示される調整内容確認画面の一例を示す図である。
【発明を実施するための形態】
【００２６】
以下、本発明の実施形態を、図面を参照して詳細に説明する。
【００２７】
図１は、本発明の一実施形態に係る印刷システムの全体構成を示すブロック図である。
【００２８】
図１に示されるとおり、本実施形態にかかる印刷システムは、プリンタ１とＰＣ２とを備える。プリンタ１およびＰＣ２は、ネットワーク３を介して相互に通信可能に接続されている。
【００２９】
ネットワーク３は、たとえば、イーサネット（登録商標）、トークンリング、およびＦＤＤＩ等の規格によりコンピュータやネットワーク機器同士を接続したＬＡＮ、またはＬＡＮ同士を専用線で接続したＷＡＮ等の各種のネットワークからなる。なお、ネットワーク３に接続される機器の種類および台数は、図１に示される例に限定されない。
【００３０】
図２は、図１に示されるプリンタの構成を示すブロック図である。図２に示されるとおり、プリンタ１は、ＣＰＵ１１、ＲＯＭ１２、ＲＡＭ１３、ハードディスク１４、操作パネル部１５、印刷部１６、および通信インタフェース１７を備えており、これらは信号をやり取りするためのバス１８を介して相互に接続されている。
【００３１】
ＣＰＵ１１は、プログラムにしたがって上記各部の制御や各種の演算処理等を実行する。ＲＯＭ１２は、プリンタ１の基本動作を制御する各種プログラムやパラメータを格納する。
【００３２】
ＲＡＭ１３は、作業領域として一時的にプログラムやデータを記憶する。ハードディスク１４は、各種プログラムやパラメータを格納し、または画像処理により得られた画像データ等を一時的に保存するために使用される。
【００３３】
操作パネル部１５は、タッチパネル、テンキー、スタートボタン、およびストップボタン等の要素を備えており、各種情報の表示および各種指示の入力に使用される。印刷部１６は、電子写真式プロセス等の周知の作像プロセスを用いて各種データに基づく画像を用紙などの記録材上に印刷する。印刷部１６は、シアン（Ｃ）、マゼンタ（Ｍ）、イエロー（Ｙ）、ブラック（Ｋ）の４色のトナーを用いて画像を印刷する。
【００３４】
通信インタフェース１７は、ネットワークに接続しネットワーク上の他の機器と通信するためのインタフェースであり、イーサネット（登録商標）、トークンリング、ＦＤＤＩ等の規格が用いられる。
【００３５】
図３は、図１に示されるＰＣの構成を示すブロック図である。図３に示されるとおり、プロファイル調整装置としてのＰＣ２は、ＣＰＵ２１、ＲＯＭ２２、ＲＡＭ２３、ハードディスク２４、ディスプレイ２５、入力装置２６、および通信インタフェース２７を含み、これらは信号をやり取りするためのバス２８を介して相互に接続されている。なお、ＰＣ２の上記各部のうち、プリンタ１の上記各部と同様の機能を有する部分については、説明の重複を避けるためその説明を省略する。
【００３６】
ハードディスク２４は、オペレーティングシステムを含む各種プログラムおよび各種データを格納する。ディスプレイ２５は、たとえば、ＣＲＴあるいはＬＣＤであり、各種の情報を表示する。入力装置２６は、マウス等のポインティングデバイス、およびキーボードであり、各種の入力を行うために使用される。
【００３７】
図４は、図１に示されるＰＣのハードディスクの内容を示すブロック図である。図４に示されるとおり、ＰＣ２のハードディスク２４は、調整内容記録部、カテゴリ判定部、調整内容呼出部、および適用条件判断部に対応するプログラムを格納するための領域を有する。調整内容記録部は、デバイスリンクプロファイルの調整ポイントにおけるユーザの調整内容を記録する。カテゴリ判定部は、調整内容に関して予め設定される複数のカテゴリの中から、ユーザの調整内容が属するカテゴリを判定する。調整内容呼出部は、調整内容記録部により記録された調整内容を呼び出す。適用条件判断部は、呼出された調整内容を判断して、調整内容に応じたアルゴリズムを選択する。
【００３８】
なお、調整内容記録部、カテゴリ判定部、調整内容呼出部、および適用条件判断部の機能は、それぞれに対応するプログラムをＣＰＵ２１が実行することにより発揮される。
【００３９】
図５は、図１に示されるＰＣのディスプレイに表示されるデバイスリンクプロファイル作成画面の一例を示す図である。
【００４０】
図５に示されるとおり、デバイスリンクプロファイル作成画面１００は、プロファイル作成部１１０およびプロファイル調整部１２０を有する。また、デバイスリンクプロファイル作成画面１００には、デバイスリンクプロファイルの内容を確認出力するための確認出力ボタン１３０と、デバイスリンクプロファイルを保存するためのデバイスリンクプロファイル保存ボタン１４０とが設けられている。
【００４１】
プロファイル作成部１１０は、ソースプロファイル設定部１１１、デスティネーションプロファイル設定部１１２、およびレンダリングインテント設定部１１３を有する。また、プロファイル作成部１１０には、ソースプロファイル、デスティネーションプロファイル、およびレンダリングインテントに基づいて、デバイスリンクプロファイルを算出するためのデバイスリンクプロファイル計算ボタン１１４が設けられている。
【００４２】
ソースプロファイル設定部１１１は、ユーザによるソースプロファイルの選択を受付ける。ソースプロファイル設定部１１１には選択ボタンが設けられており、選択ボタンが押下げられる（クリックされる）ことにより表示される複数の色変換プロファイルの中からユーザによるソースプロファイルの選択を受付ける。
【００４３】
デスティネーションプロファイル設定部１１２は、ユーザによるデスティネーションプロファイルの選択を受付ける。デスティネーションプロファイル設定部１１２には選択ボタンが備えられており、選択ボタンが押下げられることにより表示される複数の色変換プロファイルの中からユーザによるデスティネーションプロファイルの選択を受付ける。
【００４４】
レンダリングインテント設定部１１３は、ユーザによるレンダリングインテントの選択を受付ける。レンダリングインテント設定部１１３は、プルダウン方式のメニューバーとして構成され、プルダウンメニューとして表示される４つのレンダリングインテントの中から、ユーザによる一のレンダリングインテントの選択を受付ける。
【００４５】
プロファイル調整部１２０は、調整ポイントリスト部１２１およびポイント調整部１２２を有する。また、プロファイル調整部１２０には、調整内容を呼出すための調整内容読込ボタン１２３と、調整内容を保存するための調整内容保存ボタン１２４とが設けられている。
【００４６】
調整ポイントリスト部１２１は、ユーザにより指定された調整ポイントの一覧を表示する。また、調整ポイントリスト部１２１は、各調整ポイントに関する情報を表示する。調整ポイントに関する情報は、調整ポイントを識別するための番号情報、調整ポイントの色を示す色情報、および調整ポイントの色を構成する４つの色（Ｃ，Ｍ，Ｙ，Ｋ）の濃度（各０〜１００％）を示す色成分情報を含む。
【００４７】
ポイント調整部１２２は、調整ポイントリスト部１２１に表示される複数の調整ポイントのうち一の調整ポイントについてのユーザによる調整を受付ける。ポイント調整部１２２は、調整ポイント受付部１２２ａ、調整前ポイント表示部１２２ｂ、調整受付部１２２ｃ、および調整後ポイント表示部１２２ｄを有する。調整ポイント受付部１２２ａは、ユーザによる調整ポイントの指定を受付ける。調整前ポイント表示部１２２ｂは、調整ポイント受付部１２２ａで受付けられた調整ポイントがデバイスリンクプロファイルを用いて変換されることにより得られる変換後の色の値を示す。調整受付部１２２ｃは、調整前ポイント表示部１２２ｂに表示される変換後の色についてのユーザによる微調整を受付ける。調整後ポイント表示部１２２ｄは、ユーザにより微調整された調整後の色の値を示す。
【００４８】
また、ポイント調整部１２２には、調整ポイントの調整を反映させる範囲についてのユーザによる設定を受付けるラジオボタン１２２ｄと、デバイスリンクプロファイルに調整結果を反映させる処理の実行指示を受付ける調整実行ボタン１２２ｅとが設けられている。
【００４９】
なお、プリンタ１およびＰＣ２は、それぞれ、上記構成要素以外の構成要素を含んでいてもよく、あるいは、上記構成要素のうちの一部が含まれていなくてもよい。
【００５０】
以上のとおり構成される本実施形態の印刷システムでは、ユーザによるデバイスリンクプロファイルの調整内容が保存され、保存された調整内容に基づいて他のデバイスリンクプロファイルが調整される。以下、図６〜図１０を参照して、本実施形態のプロファイル調整方法について説明する。
【００５１】
まず、図６および図７を参照して、ユーザにより調整されたデバイスリンクプロファイルの調整内容を保存する処理について説明する。なお、以下では、ＣＭＹＫ形式の画像データの色変換処理に使用されるＩＣＣデバイスリンクプロファイル（すなわち、ＣＭＹＫ−ＣＭＹＫのルックアップテーブル）を調整する場合を例に挙げて説明する。
【００５２】
図６は、図１に示されるＰＣにおいて実行される第１プロファイル調整処理を説明するためのフローチャートである。なお、図６のフローチャートにより示されるアルゴリズムは、ＰＣ２のハードディスク２４等の記憶部にプログラムとして記憶されており、ＣＰＵ２１によって実行される。
【００５３】
図６に示されるとおり、本実施形態の第１プロファイル調整処理では、まず、デバイスリンクプロファイルが作成される（ステップＳ１０１）。本実施形態では、ユーザにより指定されたデバイスプロファイル、デスティネーションプロファイル、およびレンダリンクインテントに基づいて、デバイスリンクプロファイルが作成される。
【００５４】
図５では、たとえば、ソースプロファイル設定部１１１の選択ボタンが押下げられることにより表示される色変換プロファイルの一覧から、ソースプロファイル「ＣＭＹＫｓｒｃ１．ｉｃｃ」が選択される。同様に、デスティネーションプロファイル設定部１１２の選択ボタンが押下げられることにより表示される色変換プロファイルの一覧から、デスティネーションプロファイル「ＣＭＹＫｄｅｓｔ１．ｉｃｃ」が選択される。次に、レンダリングインテント設定部１１３においてプルダウンメニューとして表示される「測色的（相対白色）」、「測色的（絶対白色）」、「知覚的」、および「彩度」の４項目の中から、レンダリングインテント「測色的（相対白色）」が設定される。そして、デバイスリンクプロファイル計算ボタン１１４が押下げられることにより、デバイスリンクプロファイルが算出される。なお、ソースプロファイル、デスティネーションプロファイル、およびレンダリングインテントからデバイスリンクプロファイルを算出する処理自体は、一般的なプロファイル算出処理であるため、詳細な説明は省略する。
【００５５】
続いて、デバイスリンクプロファイルが調整される（ステップＳ１０２）。本実施形態では、まず、ステップＳ１０１に示す処理で作成されたデバイスリンクプロファイルを用いて調整ポイントが色変換されることにより得られる変換後の色が、ユーザにより調整される。そして、デバイスリンクプロファイルを用いて調整ポイントを色変換することによってユーザにより調整された色が直接的に算出されるように、デバイスリンクプロファイルのルックアップテーブルが調整される。
【００５６】
図５では、まず、調整ポイントリスト部１２１の空の行が選択され、調整ポイントとして、たとえば、［Ｃ０，Ｍ４０，Ｙ０，Ｋ０］が入力される。調整ポイントが入力される場合、ステップＳ１０１に示す処理で作成されたデバイスリンクプロファイルを使用して調整ポイントの色を色変換することにより変換後の色が算出される。図５では、調整ポイント［Ｃ０，Ｍ４０，Ｙ０，Ｋ０］の色変換処理後の色として［Ｃ２，Ｍ４２，Ｙ６，Ｋ０］が算出される。
【００５７】
そして、ユーザにより変換後の色が微調整される。具体的には、ユーザが手作業により調整ポイントの変換後の色のＣ，Ｍ，Ｙ，Ｋの値を調整する。図５では、調整ポイントの変換後の色を示す［Ｃ２，Ｍ４２，Ｙ６，Ｋ０］という値が、［Ｃ０，Ｍ４５，Ｙ０，Ｋ０］という値に調整される。なお、色の微調整には、ユーザの意図が反映される。たとえば、画像データにおける単色の網点領域が色変換処理後においても単色の網点領域のままに維持されるように、調整ポイントの変換後の色が調整される。同様に、画像データにおける単色のベタ領域が色変換処理後においても単色のベタ領域のままに維持されるように、変換後の色が調整される。あるいは、デバイスの色域差に起因する色のツブレが防止されるように変換後の色と周辺色との差が増加されたり、肌色、空色、植物の緑色等の重要記憶色の色彩値が維持されるように、変換後の色が調整されたりする。
【００５８】
調整ポイントの変換後の色についての微調整が終了した場合、調整実行ボタン１２２ｅが押下げられることにより、デバイスリンクプロファイルの調整が実行される。具体的には、デバイスリンクプロファルを用いて調整ポイントの色を色変換することによって、ユーザにより微調整された調整後の色が直接的に算出されるように、デバイスリンクプロファイルのルックアップテーブルが調整される。
【００５９】
図５では、デバイスリンクプロファイルを用いて調整ポイント［Ｃ０，Ｍ４０，Ｙ０，Ｋ０］を色変換することによって［Ｃ０，Ｍ４５，Ｙ０，Ｋ０］という値が直接的に算出されるように、デバイスリンクプロファイルが調整される。このとき、調整ポイント付近における急激な色変化を防止する見地から、調整ポイントの周囲のポイントについても同じ方向に弱い調整がかかるように、調整の影響および範囲が選択される。なお、調整ポイントに示される色が微調整された色に色変換されるように、デバイスリンクプロファイルのルックアップテーブルを調整する処理自体は、一般的な色変換プロファイルの調整処理であるため、詳細な説明は省略する。そして、ユーザにより指定される複数の調整ポイントに対して、デバイスリンクプロファイルが調整される。
【００６０】
続いて、デバイスリンクプロファイルの調整内容が保存される（ステップＳ１０３）。本実施形態では、ステップＳ１０２に示す処理で調整されたデバイスリンクプロファイルの調整内容が、ハードディスク２４等の記憶部に記憶される。具体的には、まず、調整内容に関して予め設定された複数のカテゴリの中から、各調整ポイントにおけるユーザの調整内容が属するカテゴリが判定される。そして、判定されたカテゴリを示すカテゴリ情報と、対応する調整ポイントを示す調整ポイント情報とが関連付けられてハードディスク２４等の記憶部に記憶される。
【００６１】
図５では、デバイスリンクプロファイル作成画面１００の調整内容保存ボタン１２４が押下げられることにより、調整内容の名称を入力するための画面（不図示）が表示される。そして、ユーザ操作により調整内容に任意の名称（たとえば、調整内容１）が付けられた後、カテゴリ情報と調整ポイント情報とが記憶部に記憶される。ステップＳ１０３に示す調整内容保存処理についての詳細な説明は後述する。
【００６２】
そして、デバイスリンクプロファイルが保存され（ステップＳ１０４）、処理が終了される。本実施形態では、ステップＳ１０２に示す処理で調整されたデバイスリンクプロファイルがハードディスク２４等の記憶部に記憶される。具体的には、デバイスリンクプロファイル保存ボタン１４０が押下げられることにより、ステップＳ１０２に示す処理で調整されたデバイスリンクプロファイルが保存される。保存されたデバイスリンクプロファイルは、画像データの色変換処理に使用される。
【００６３】
以上のとおり、図６に示されるフローチャートの処理によれば、まず、デバイスリンクプロファイルが作成され、調整ポイント単位でユーザにより微調整される。そして、デバイスリンクプロファイルの保存に先立って、ユーザによるデバイスリンクプロファイルの調整内容が保存される。具体的には、デバイスリンクプロファイルの調整ポイント毎に、ユーザの調整内容が属するカテゴリが判定され、カテゴリ情報と調整ポイント情報とが関連付けられてハードディスク２４等の記憶部に記憶される。
【００６４】
図７は、図６のステップＳ１０３に示される調整内容保存処理を説明するためのフローチャートである。ＰＣ２では、調整ポイントの変換後の色をユーザが調整する処理において得られた色に関する情報に基づいて、予め設定された複数のカテゴリの中から、ユーザの調整内容が属するカテゴリが判定される。本実施形態では、上記のカテゴリは、「純色」、「ベタ色」、「色域外周近傍」、「無彩色近傍」、および「その他」の５つに分類されており、調整ポイント毎に一のカテゴリが判定される。
【００６５】
図７に示されるとおり、本実施形態における調整内容保存処理では、まず、一の調整ポイントが抽出される（ステップＳ２０１）。本実施形態では、ユーザにより調整された複数の調整ポイントの中から一の調整ポイントが抽出される。たとえば、図５では、調整ポイントリスト部１２１に表示される２つの調整ポイントの中から、一の調整ポイントが抽出される。
【００６６】
続いて、調整後のＣ，Ｍ，Ｙの１つ以上の値が０％であるか否かが判断される（ステップＳ２０２）。本実施形態では、ステップＳ２０１に示す処理で抽出された調整ポイントにおける調整後のＣ，Ｍ，Ｙの１つ以上の値が０％であるか否かが判断される。
【００６７】
調整後のＣ，Ｍ，Ｙの１つ以上の値が０％であると判断される場合（ステップＳ２０２：ＹＥＳ）、ユーザによる調整内容の属するカテゴリが「純色」と判定され（ステップＳ２０３）、ステップＳ２１１以下の処理に移行する。たとえば、図５では、調整ポイントリスト部１２１に示される第２の調整ポイント［Ｃ０，Ｍ４０，Ｙ０，Ｋ０］は、調整後の値［Ｃ０，Ｍ４５，Ｙ０，Ｋ０］において、ＣおよびＹの２つの値が０％であるため、カテゴリ「純色」と判定される。
【００６８】
一方、調整後のＣ，Ｍ，Ｙの１つ以上の値が０％でないと判断される場合（ステップＳ２０２：ＮＯ）、調整後のＣ，Ｍ，Ｙ，Ｋの１つ以上の値が１００％であるか否かが判断される（ステップＳ２０４）。本実施形態では、ステップＳ２０１に示す処理で抽出された調整ポイントにおける調整後のＣ，Ｍ，Ｙ，Ｋの１つ以上の値が１００％であるか否かが判断される。
【００６９】
調整後のＣ，Ｍ，Ｙ，Ｋの１つ以上の値が１００％であると判断される場合（ステップＳ２０４：ＹＥＳ）、ユーザによる調整内容の属するカテゴリが「ベタ色」と判定され（ステップＳ２０５）、ステップＳ２１１以下の処理に移行する。
【００７０】
一方、調整後のＣ，Ｍ，Ｙ，Ｋの１つ以上の値が１００％でないと判断される場合（ステップＳ２０４：ＮＯ）、調整前のＣ，Ｍ，Ｙの１つ以上の値が９０％以上であり、かつ、残りの色の１つ以上の値が１０％以下であるか否かが判断される（ステップＳ２０６）。本実施形態では、ステップＳ２０１に示す処理で抽出された調整ポイントにおけるユーザによる調整前のＣ，Ｍ，Ｙの１つ以上の値が９０％以上であり、かつ、残りの色の１つ以上の値が１０％以下であるか否かが判断される。
【００７１】
調整前のＣ，Ｍ，Ｙの１つ以上の値が９０％以上であり、かつ、残りの色の１つ以上の値が１０％以下であると判断される場合（ステップＳ２０６：ＹＥＳ）、ユーザによる調整内容の属するカテゴリが「色域外周近傍」と判定され（ステップＳ２０７）、ステップＳ２１１以下の処理に移行する。
【００７２】
一方、調整前のＣ，Ｍ，Ｙの１つ以上の値が９０％以上であり、かつ、残りの色の１つ以上の値が１０％以下でないと判断される場合（ステップＳ２０６：ＮＯ）、調整ポイントおよび調整後の色の色彩値の彩度Ｃ＊が１０以下であるか否かが判断される（ステップＳ２０８）。本実施形態では、ステップＳ２０１に示す処理で抽出された調整ポイントおよび調整後の色の色彩値の彩度Ｃ＊が１０以下であるか否かが判断される。
【００７３】
調整ポイントおよび調整後の色の色彩値の彩度Ｃ＊が１０以下であると判断される場合（ステップＳ２０８：ＹＥＳ）、ユーザによる調整内容の属するカテゴリが「無彩色近傍」と判定され（ステップＳ２０９）、ステップＳ２１１以下の処理に移行する。カテゴリ「無彩色近傍」には、いわゆるグレーおよびグレーに近い色が分類される。
【００７４】
一方、調整ポイントおよび調整後の色の色彩値の彩度Ｃ＊が１０以下でないと判断される場合（ステップＳ２０８：ＮＯ）、ユーザによる調整内容の属するカテゴリが「その他」と判定される（ステップＳ２１０）。本実施形態では、ステップＳ２０１に示す処理で抽出された調整ポイントの調整内容が上記４つのカテゴリのいずれにも属さないものとして、カテゴリ「その他」に分類される。
【００７５】
そして、すべての調整ポイントに対する判定処理が終了したか否かが判断される（ステップＳ２１１）。本実施形態では、たとえば、図５の調整ポイントリスト部１２１に表示されるすべての調整ポイントのカテゴリが判定されたか否かが判断される。
【００７６】
すべての調整ポイントの判定が終了していないと判断される場合（ステップＳ２１１：ＮＯ）、すべての調整ポイントの判定が終了するまで、ステップＳ２０１以下の処理が繰り返される。一方、すべての調整ポイントの判定が終了したと判断される場合（ステップＳ２１１：ＹＥＳ）、処理が終了される。
【００７７】
以上のとおり、図７に示されるフローチャートの処理によれば、調整ポイントの変換後の色をユーザが調整する処理において得られた色に関する情報に基づいて、調整ポイント毎に、調整内容が属するカテゴリが判定される。判定されたカテゴリを示すカテゴリ情報は、調整ポイントを示す調整ポイント情報と関連付けられてハードディスク２４等の記憶部に記憶される。そして、他のデバイスリンクプロファイルの調整の際に、ハードディスク２４に記憶されたカテゴリ情報と調整ポイント情報とが呼び出され、カテゴリ情報に対応するアルゴリズムを適用することにより、他のデバイスリンクプロファイルの調整ポイントが調整される。以下、図８〜図１０を参照して、他のデバイスリンクプロファイルを調整する処理について説明する。
【００７８】
図８は、図１に示されるＰＣにおいて実行される第２プロファイル調整処理を説明するためのフローチャートである。なお、図８のフローチャートにより示されるアルゴリズムは、ＰＣ２のハードディスク２４等の記憶部にプログラムとして記憶されており、ＣＰＵ２１によって実行される。
【００７９】
図８に示されるとおり、本実施形態の第２プロファイル調整処理では、まず、デバイスリンクプロファイルが作成される（ステップＳ３０１）。本実施形態では、図６のステップＳ１０１に示す処理と同様に、図５に示すデバイスリンクプロファイル作成画面１００上で、ユーザにより指定される新たなデバイスプロファイル、デスティネーションプロファイル、およびレンダリンクインテントに基づいて、新たなデバイスリンクプロファイルが作成される。
【００８０】
続いて、調整内容の呼び出し指示が受付けられる（ステップＳ３０２）。本実施形態では、ステップＳ３０１に示す処理で作成されたデバイスリンクプロファイルの調整のために、ユーザによる調整内容の呼び出し指示が受付けられる。図５では、調整内容読込ボタン１２３が押下げられることにより、調整内容の呼び出し指示が受付けられる。
【００８１】
続いて、調整内容の一覧が表示される（ステップＳ３０３）。本実施形態では、図６のステップ１０３に示す処理で保存された調整内容の一覧が表示される。具体的には、調整内容の一覧を示す調整内容選択画面２００がディスプレイ２５に表示される。
【００８２】
図９は、図１に示されるＰＣのディスプレイに表示される調整内容選択画面の一例を示す図である。図９に示されるとおり、調整内容選択画面２００には、「調整内容１．ａａａ」および「調整内容２．ａａａ」の２つの調整内容が表示される。
【００８３】
続いて、調整内容の選択が受付けられる（ステップＳ３０４）。本実施形態では、ステップＳ３０３に示す処理で表示された調整内容の一覧の中から、ユーザによる一の調整内容についての選択が受付けられる。図９では、たとえば、ユーザにより「調整内容１．ａａａ」が選択される。
【００８４】
続いて、調整内容確認画面が表示される（ステップＳ３０５）。本実施形態では、ステップＳ３０４に示す処理で選択された選択内容の詳細を示す調整内容確認画面３００がディスプレイ２５に表示される。
【００８５】
図１０は、図１に示されるＰＣのディスプレイに表示される調整内容確認画面の一例を示す図である。図１０に示されるとおり、調整内容確認画面３００は、調整元プロファイル情報部３１０およびプロファイル調整情報部３２０を有する。また、調整内容確認画面３００には、調整内容適用ボタン３３０とキャンセルボタン３４０とが設けられている。
【００８６】
調整元プロファイル情報部３１０は、「調整内容１．ａａａ」が保存された処理で作成されたデバイスリンクプロファイルの元となったソースプロファイルの名称、デスティネーションプロファイルの名称、およびレンダリングインテント設定を表示している。
【００８７】
プロファイル調整情報部３２０は、調整ポイントリスト部３２１およびポイント調整情報部３２２を有する。調整ポイントリスト部３２１は、元のデバイスリンクプロファイルにおける調整ポイントの一覧を表示する。また、調整ポイントリスト部３２１は、各調整ポイントに関する情報を表示する。調整ポイントに関する情報は、調整ポイントを識別するための番号情報、調整ポイントの色を示す色情報、調整ポイントの色を構成する４つの色（Ｃ，Ｍ，Ｙ，Ｋ）の濃度（各０〜１００％）を示す色成分情報、調整ポイントに対応する適用条件を示す適用条件情報、および調整ポイントの適用の可否を示す適用情報を含む。
【００８８】
適用条件情報は、図７に示すフローチャートの処理において判定されたカテゴリ情報に対応する適応条件に関する情報であり、上述した「純色」、「ベタ色」、「色域外周近傍」、「無彩色近傍」、および「その他」の５つのカテゴリ情報に対応する「純色保持」、「ベタ色保持」、「隣接差重視」、「色彩値重視」、および「調整幅重視」の５つの適用条件を含む。適用条件情報は、メニューバー形式で表示され、ユーザによる適用条件の変更が可能なように構成されている。また、適用情報は、チェックボタン形式で表示され、ユーザによる適用の可否の変更が可能なように構成されている。
【００８９】
ポイント調整情報部３２２は、調整ポイントリスト部３２１に表示される各調整ポイントに関する情報を示す。
【００９０】
続いて、適用条件の変更が受付けられたか否かが判断される（ステップＳ３０６）。ユーザが調整内容の変更が必要と考える場合、たとえば、第１の調整ポイント［Ｃ５，Ｍ１０，Ｙ４０，Ｋ０］のチェックボックスがＯＮからＯＦＦに変更されたり、第２の調整ポイント［Ｃ０，Ｍ４０，Ｙ０，Ｋ０］の適用条件が「純色保持」から「色彩値重視」に変更されたりする。本実施形態では、このようなユーザ操作に基づく適用条件の変更が受付けられたか否かが判断される。
【００９１】
適用条件の変更が受付けられたと判断される場合（ステップＳ３０６：ＹＥＳ）、適用条件が変更され（ステップＳ３０７）、ステップＳ３０６以下の処理が繰り返される。一方、適用条件の変更が受付けられていないと判断される場合（ステップＳ３０６：ＮＯ）、調整内容の適用指示が受付けられたか否かが判断される（ステップＳ３０８）。本実施形態では、ステップＳ３０４に示す処理で選択された調整内容に基づくデバイスリンクプロファイルの調整を指示する適用指示が受付けられたか否かが判断される。具体的には、調整内容適用ボタン３３０が押下げられたか否かが判断されることにより、調整内容の適用指示が受付けられたか否かが判断される。
【００９２】
調整内容の適用指示が受付けられていないと判断される場合（ステップＳ３０８：ＮＯ）、調整内容の適用指示が受付けられるまで、ステップＳ３０６以下の処理が繰り返される。一方、調整内容の適用指示が受付けられたと判断される場合（ステップＳ３０８：ＹＥＳ）、調整内容が適用される（ステップＳ３０９）。本実施形態では、調整内容確認画面３００の調整ポイントリスト部３２１に表示される調整ポイント単位で、ステップＳ３０１に示す処理で作成された新たなデバイスリンクプロファイルが調整される。
【００９３】
具体的には、まず、調整ポイントリスト部３２１に表示される調整ポイントが読み込まれ、ステップＳ３０１に示す処理で作成されたデバイスリンクプロファイルを用いて変換される。そして、調整ポイントの変換後の色が、調整ポイントの適用条件情報に応じて選択されるアルゴリズムにしたがって調整される。
【００９４】
たとえば、図１０では、新たなデバイスリンクプロファイルを用いて第１の調整ポイント［Ｃ５，Ｍ１０，Ｙ４０，Ｋ０］を色変換することにより得られる変換後の色が、適用条件「色彩値重視」に対応するアルゴリズムにしたがって調整される。また、新たなデバイスリンクプロファイルを用いて第２の調整ポイント［Ｃ０，Ｍ４０，Ｙ０，Ｋ０］を色変換することにより得られる変換後の色が、適用条件「純色保持」に対応するアルゴリズムにしたがって調整される。すなわち、元のデバイスリンクプロファイルを調整した際のユーザの意図を反映するカテゴリ情報に基づいて、新たなデバイスリンクプロファイルにおける各調整ポイントの変換後の色が調整される。なお、適用条件情報に応じて選択されるアルゴリズムの具体的な内容については後述する。
【００９５】
そして、新たなデバイスリンクプロファイルを用いて調整ポイントの色を色変換することによって調整後の色が直接的に算出されるように、デバイスリンクプロファイルが調整される。
【００９６】
続いて、デバイスリンクプロファイルの調整が受付けられたか否かが判断される（ステップＳ３１０）。ユーザがデバイスリンクプロファイルのさらなる微調整が必要であると考える場合、たとえば、図５に示すデバイスリンクプロファイル作成画面１００上で、第１および第２の調整ポイントの変換後の色を調整したり、新たな調整ポイントを入力したりすることにより、デバイスリンクプロファイルが調整される。
【００９７】
デバイスリンクプロファイルの調整が受付けられたと判断される場合（ステップＳ３１０：ＹＥＳ）、デバイスリンクプロファイルが調整され（ステップＳ３１１）、ステップＳ３１０以下の処理が繰り返される。一方、デバイスリンクプロファイルの調整が受付けられていないと判断される場合（ステップＳ３１０：ＮＯ）、調整内容の保存指示が受付けられたか否かが判断される（ステップＳ３１２）。たとえば、ステップＳ３０７に示す処理で適用条件が変更されたり、ステップＳ３１１に示す処理でデバイスリンクプロファイルが調整されたりした場合には、調整内容の保存指示が受付けられる。図５では、調整内容保存ボタン１２４が押下げられたか否かが判断されることにより、調整内容の保存指示が受付けられたか否かが判断される。
【００９８】
調整内容の保存指示が受付けられたと判断される場合（ステップＳ３１２：ＹＥＳ）、デバイスリンクプロファイルの調整内容が保存される（ステップＳ３１３）。ステップＳ３１３に示す調整内容保存処理は、図７に示すフローチャートの処理と同様であるため、詳細な説明は省略する。
【００９９】
一方、調整内容の保存指示が受付けられていないと判断される場合（ステップＳ３１２：ＮＯ）、デバイスリンクプロファイルが保存され（ステップＳ３１４）、処理が終了される。本実施形態では、図５に示すデバイスリンクプロファイル作成画面１００のデバイスリンクプロファイル保存ボタン１４０が押下げられたとして、ステップＳ３０５に示す処理で調整内容が適用された新たなデバイスリンクプロファイルがハードディスク２４等の記憶部に記憶される。
【０１００】
以上のとおり、図８に示されるフローチャートの処理によれば、新たなデバイスリンクプロファイルの調整時に以前の調整内容が呼び出され、新たなデバイスリンクプロファイルの調整に適用される。その結果、新たなデバイスリンクプロファイルの調整が自動化され、新たなデバイスリンクプロファイルを調整する際のユーザの作業負荷が低減される。
【０１０１】
以下、図８のステップＳ３０９に示される調整内容適用処理において、調整ポイントの変換後の色の調整のために、調整ポイントの適用条件情報に応じて適用されるアルゴリズムについて説明する。
【０１０２】
＜純色保持＞
カテゴリ「純色」に対応する適用条件「純色保持」では、純色が保持されるように調整ポイントの変換後の色が調整される。具体的には、まず、保存された調整内容における調整ポイントの４つの色（Ｃ，Ｍ，Ｙ，Ｋ）のうち、調整後の値が０％である色について、新たなデバイスリンクプロファイルを用いた調整ポイントの変換後の値が０％に調整される。さらに、保存された調整内容における調整後の値が１００％である色がある場合には、調整後の値が１００％である色について、新たなデバイスリンクプロファイルを用いた調整ポイントの変換後の値が１００％に調整される。残りの色については、保存された調整内容における調整前後の値の差が、新たなデバイスリンクプロファイルを用いた調整ポイントの変換後の色についての調整前後の値の差となるように、変換後の値が調整される。
【０１０３】
そして、新たなデバイスリンクプロファイルを用いて調整ポイントを色変換することによって調整後の色が直接的に算出されるように、新たなデバイスリンクプロファイルのルックアップテーブルが調整される。
【０１０４】
たとえば、調整ポイント［Ｃ０，Ｍ４０，Ｙ０，Ｋ０］について、保存された調整内容における調整前の値が［Ｃ２，Ｍ４２，Ｙ６，Ｋ０］であり、ユーザによる調整後の値が［Ｃ０，Ｍ４５，Ｙ０，Ｋ０］であり、これらの値の差が［Ｃ−２，Ｍ＋３，Ｙ−６，Ｋ０］であるとする。一方、新たなデバイスリンクプロファイルプロファイルを用いて調整ポイント［Ｃ０，Ｍ４０，Ｙ０，Ｋ０］を色変換することによって得られる値が［Ｃ５，Ｍ４２，Ｙ２，Ｋ０］であるとする。この場合、Ｃ，Ｙ，Ｋについては３つの色の値が０％に維持され、Ｍについては［Ｍ＋３］が維持されるため、調整後の値は［Ｃ０，Ｍ４５，Ｙ０，Ｋ０］となる。
【０１０５】
そして、新たなデバイスリンクプロファイルを用いて調整ポイント［Ｃ０，Ｍ４０，Ｙ０，Ｋ０］を色変換することによって［Ｃ０，Ｍ４５，Ｙ０，Ｋ０］という値が直接的に算出されるように、新たなデバイスリンクプロファイルのルックアップテーブルが調整される。
【０１０６】
＜ベタ色保持＞
カテゴリ「ベタ色」に対応する適用条件「ベタ色保持」では、ベタ色が保持されるように調整ポイントの変換後の色が調整される。具体的には、保存された調整内容における調整ポイントの４つの色のうち、調整後の値が１００％である色について、新たなデバイスリンクプロファイルを用いた調整ポイントの変換後の値が１００％に調整される。残りの色については、保存された調整内容における調整前後の値の差が、新たなデバイスリンクプロファイルを用いた調整ポイントの変換後の色についての調整前後の値の差となるように、変換後の値が調整される。
【０１０７】
そして、新たなデバイスリンクプロファイルを用いて調整ポイントを色変換することによって調整後の色が直接的に算出されるように、新たなデバイスリンクプロファイルのルックアップテーブルが調整される。
【０１０８】
たとえば、調整ポイント［Ｃ１００，Ｍ４０，Ｙ２０，Ｋ２０］について、保存された調整内容における調整前の値が［Ｃ９６，Ｍ４２，Ｙ１６，Ｋ１５］であり、ユーザによる調整後の値が［Ｃ１００，Ｍ４１，Ｙ１４，Ｋ１３］であり、これらの値の差が［Ｃ＋４，Ｍ−１，Ｙ−２，Ｋ−２］であるとする。一方、新たなデバイスリンクプロファイルを用いて調整ポイント［Ｃ１００，Ｍ４０，Ｙ２０，Ｋ２０］を色変換することによって得られる値が［Ｃ９３，Ｍ４２，Ｙ１２，Ｋ１０］であるとする。この場合、Ｃについては値が１００％に維持され、Ｍ，Ｙ，Ｋについては［Ｍ−１，Ｙ−２，Ｋ−２］が維持されるため、調整後の値は、［Ｃ１００，Ｍ４１，Ｙ１０，Ｋ８］となる。
【０１０９】
そして、新たなデバイスリンクプロファイルを用いて調整ポイント［Ｃ１００，Ｍ４０，Ｙ２０，Ｋ２０］を色変換することによって［Ｃ１００，Ｍ４１，Ｙ１０，Ｋ８］という値が直接的に算出されるように、新たなデバイスリンクプロファイルのルックアップテーブルが調整される。
【０１１０】
＜隣接差重視＞
カテゴリ「色域外周近傍」に対応する適用条件「隣接差重視」では、隣接する調整点との差分（デバイス値または色彩値）が保持されるように、調整ポイントの変換後の色が調整される。具体的には、保存された調整内容における調整ポイントの３つの色（Ｃ，Ｍ，Ｙ）のうち、調整後の値が１００％でない最大の色について、調整ポイントの調整後の値と当該調整ポイントに所定間隔で隣接する隣接ポイントの調整後の値との差が維持されるように、新たなデバイスリンクプロファイルを用いた調整ポイントの変換後の値が調整される。残りの色については、保存された調整内容における調整前後の値の差が、新たなデバイスリンクプロファイルを用いた調整ポイントの変換後の色についての調整前後の値の差となるように、変換後の値が調整される。なお、隣接ポイントとは、調整ポイントのＣ，Ｍ，Ｙのうち１００％でない最大の色の値のみを、ルックアップテーブルにおける刻み幅１つ分（たとえば、５％）増加させたポイントを言う。１００％でない最大の色が複数ある場合には、Ｃ、Ｍ、およびＹの優先順序にしたがって１つの色が選択される。たとえば、調整ポイントが［Ｃ９０，Ｍ４５，Ｙ１０，Ｋ０］であれば、隣接ポイントは［Ｃ９５，Ｍ４５，Ｙ１０，Ｋ０］となる。
【０１１１】
たとえば、調整ポイント［Ｃ９０，Ｍ６０，Ｙ５，Ｋ５］について、保存された調整内容における調整前の値が［Ｃ９５，Ｍ６２，Ｙ６，Ｋ５］であり、ユーザによる調整後の値が［Ｃ８７，Ｍ６１，Ｙ５，Ｋ４］であり、これらの値の差が［Ｃ−８，Ｍ−１，Ｙ−１，Ｋ−１］であるとする。加えて、隣接ポイント［Ｃ９５，Ｍ６０，Ｙ５，Ｋ５］の調整後の値が［Ｃ９４，Ｍ６２，Ｙ７，Ｋ６］であり、調整後のＣについての調整ポイントとの値の差が［Ｃ−７］であるとする。一方、新たなデバイスリンクプロファイルを用いて調整ポイント［Ｃ９０，Ｍ６０，Ｙ５，Ｋ５］を色変換する場合、変換された調整前の値が［Ｃ９６，Ｍ６３，Ｙ８，Ｋ７］であり、隣接ポイントの値が［Ｃ９７，Ｍ６５，Ｙ８，Ｋ８］であるとする。この場合、Ｃについては隣接ポイント［Ｃ９７］との値の差［Ｃ−７］が維持され、Ｍ，Ｙ，Ｋについて［Ｍ−１，Ｙ−１，Ｋ−１］が維持されるため、調整後の値は［Ｃ９０，Ｍ６２，Ｙ７，Ｋ６］となる。
【０１１２】
そして、新たなデバイスリンクプロファイルを用いて調整ポイント［Ｃ９０，Ｍ６０，Ｙ５，Ｋ５］を色変換することによって［Ｃ９０，Ｍ６２，Ｙ７，Ｋ６］という値が直接的に算出されるように、新たなデバイスリンクプロファイルのルックアップテーブルが調整される。
【０１１３】
＜色彩値重視＞
カテゴリ「無彩色近傍」に対応する適用条件「色彩値重視」では、調整後の色彩値が保持されるように、調整ポイントの変換後の色が調整される。具体的には、新たなデバイスリンクプロファイルについての調整後の色彩値が、元のデバイスリンクプロファイルについての調整後の色彩値と同じになるように、新たなデバイスリンクプロファイルが調整される。
【０１１４】
＜調整幅保持＞
カテゴリ「その他」に対応する適用条件「調整幅保持」では、調整幅が保持されるように、調整ポイントの変換後の色が調整される。具体的には、新たなデバイスリンクプロファイルについての調整前後の値の差が、元のデバイスリンクプロファイルについての調整前後の値の差と同じになるように、新たなデバイスリンクプロファイルが調整される。
【０１１５】
以上のとおり、本実施形態のプロファイル調整方法によれば、ユーザの調整内容の保存時に、調整内容が属するカテゴリが判定される。そして、他のデバイスリンクプロファイルの調整時に、カテゴリに応じて選択されるアルゴリズムにしたがって、各調整ポイントの色変換処理後の色が調整される。したがって、調整ポイント毎に異なる調整が可能であり、ユーザの意図に近い高度な調整が実現される。
【０１１６】
本発明は、上記した実施形態のみに限定されるものではなく、特許請求の範囲内において、種々改変することができる。
【０１１７】
たとえば、上記実施形態では、ＣＭＹＫ−ＣＭＹＫのルックアップテーブルの色変換プロファイルが調整された。しかしながら、色変換プロファイルは、ＣＭＹＫ−ＣＭＹＫのルックアップテーブルに限定されるものではなく、ＲＧＢ−ＣＭＹＫのルックアップテーブルであってもよく、この場合には、調整ポイントがＲＧＢで表示される。あるいは、色変換プロファイルは、ＩＣＣデバイスプロファイル（すなわち、ＰＣＳ−ＣＭＹＫのルックアップテーブル）であってもよく、この場合には、ソースプロファイルが存在せず、調整ポイントがＰＣＳとなる。
【０１１８】
本実施形態にかかるプロファイル調整装置における各種処理を行う手段および方法は、専用のハードウエア回路、またはプログラムされたコンピュータのいずれによっても実現することが可能である。上記プログラムは、たとえば、フレキシブルディスクおよびＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送され記憶される。また、上記プログラムは、単独のアプリケーションソフトとして提供されてもよいし、プロファイル調整装置の一機能としてその装置のソフトウエアに組み込まれてもよい。
【符号の説明】
【０１１９】
１  プリンタ
１１，２１  ＣＰＵ、
１２，２２  ＲＯＭ、
１３，２３  ＲＡＭ、
１４，２４  ハードディスク、
１５  操作パネル部、
１６  印刷部、
１７，２７  通信インタフェース、
１８，２８  バス、
２  ＰＣ、
２５  ディスプレイ、
２６  入力装置、
３  ネットワーク、
１００  デバイスリンクプロファイル作成画面、
２００  調整内容選択画面、
３００  調整内容確認画面。
【図１】
2010273208.tif 000003
【図２】
2010273208.tif 000004
【図３】
2010273208.tif 000005
【図４】
2010273208.tif 000006
【図６】
2010273208.tif 000007
【図７】
2010273208.tif 000008
【図８】
2010273208.tif 000009
【図５】
2010273208.tif 000010
【図９】
2010273208.tif 000011
【図１０】
2010273208.tif 000012